(57)【特許請求の範囲】
【請求項１】
アクリル酸・メタクリル酸アルキル（Ｃ１０〜Ｃ３０）共重合体、中和剤、ゲル化剤、薬剤および水を配合してなる水ゲル薬剤揮散体。
【請求項２】
薬剤が香料、消臭剤、防虫剤、殺虫剤、除菌剤および忌避剤から選択される少なくとも１種以上である、請求項１に記載された水ゲル薬剤揮散体。
【発明の詳細な説明】
【０００１】
【発明の属する技術分野】
本発明は、香料、消臭剤、防虫剤、殺虫剤、除菌剤、忌避剤などの薬剤を含有する水ゲル薬剤揮散体に関する。
【０００２】
【従来の技術】
室内や自動車の車内等に用いられる芳香剤・消臭剤等として、薬剤揮散体が利用されてきた。水ゲル薬剤揮散体は、水性液体型、油性液体型、固形型等のタイプの薬剤揮散体に比べ一般に安価に製造でき、しかも、揮散後の明確な収縮終点を持たせることが可能であるため、最近注目されてきている。このような水ゲル薬剤揮散体としては、例えば、ゲル化剤として、カラギーナン、ジェランガム、寒天を使用したものが提案されている（特開昭５４−１３５２２９号公報、特開昭６０−１３５０５８号公報、特開昭６２−４１６６１号公報、特開昭６４−４０５４２号公報、特開平１−７４２３９号公報、特開平２−１４４０６７号公報参照）。しかしながら従来の水ゲル薬剤揮散体は、揮散時に揮散媒体物質である水の揮散量が経日に伴って減少していく傾向にあり、この水の揮散量の減少が薬剤の揮散強度、拡散性、持続性等の薬剤効果を低下させることになり問題となっている。
【０００３】
【発明が解決しようとする課題】
従って本発明の目的は、揮散開始から揮散終了時まで薬剤をコンスタントにバランスよく揮散することができ、経日による薬剤の強度、拡散性、持続性等の薬剤効果の低下を防止することができる水ゲル薬剤揮散体を提供するにある。
【０００４】
【課題を解決するための手段】
上記の課題を解決するために、本発明は、アクリル酸・メタクリル酸アルキル（Ｃ１０〜Ｃ３０）共重合体、中和剤ゲル化剤、薬剤および水を配合して水ゲル薬剤揮散体とする。また、薬剤が香料、消臭剤、防虫剤、殺虫剤、除菌剤および忌避剤から選択される少なくとも１種以上である。
【０００５】
【発明の実施の形態】
本発明者らは、上記のごとき従来型の水ゲル薬剤揮散体について、その欠点を解決すべく鋭意研究を行った。その結果、水ゲル薬剤揮散体を製造するに際して、アクリル酸・メタクリル酸アルキル（Ｃ１０〜Ｃ３０）共重合体およびゲル化剤を添加調製することにより、揮散開始から揮散終了時まで薬剤をコンスタントに揮散することができ、経日による薬剤の揮散強度、拡散性、持続性等の薬剤効果の低下を防止することができるという事実を見いだし、本発明を完成するに至った。
【０００６】
尚、本発明の水ゲル薬剤揮散体に使用されるアクリル酸・メタクリル酸アルキル（Ｃ１０〜Ｃ３０）共重合体は、高分子の乳化剤で、これまでクリームや乳液などのフェイスケア製品をはじめ、ハンドケア製品、ヘアケア製品、ボディケア製品、サンスクリーン製剤などへの応用例が知られているが（フレグランス  ジャーナル，ＶＯＬ．２６，ＮＯ．８，Ｐ．７９〜８３，１９９８）、水ゲル薬剤揮散体へ応用したのは本発明者らが初めてである。
【０００７】
本発明の水ゲル薬剤揮散体に使用されるアクリル酸・メタクリル酸アルキル（Ｃ１０〜Ｃ３０）共重合体は乳化作用を有するため、従来の水ゲル薬剤揮散体に使用されている界面活性剤を全く使用しないか、又は界面活性剤の使用量を減ずることができ、界面活性剤による地球環境問題に対応できる。また、本発明の水ゲル薬剤揮散体は、水の揮散量がコンスタントであるため、揮散終了時の残渣形状・量が従来品より小さくなり、揮散体の終点が目視で容易に判定することができるなどの効果を有する水ゲル薬剤揮散体が提供される。
【０００８】
以下、本発明の水ゲル薬剤揮散体の各成分について説明する。
本発明の水ゲル薬剤揮散体における薬剤としては、水ゲル薬剤揮散体の用途に基づいて選択される。例えば、香料、消臭剤、防虫剤、殺虫剤、除菌剤、忌避剤などの１種または２種以上の添加成分を挙げることができ、その使用量は特に制限されるものではなく、例えば、水ゲル薬剤揮散体全体に対して約０．０１〜１５重量％、好ましくは約０．１〜１０重量％を例示することができる。０．０１重量％より少ない量では薬剤の効果が十分に発揮できず、１５重量％より多い量ではコスト高となったり、水ゲルの安定性が保てないなどの不都合がある。
【０００９】
本発明の水ゲル薬剤揮散体に使用されるアクリル酸・メタクリル酸アルキル（Ｃ１０〜Ｃ３０）共重合体は、アクリル酸とメタクリル酸アルキル（Ｃ１０〜Ｃ３０）とを、過酸化ベンゾイル等を重合開始剤として、重合させることにより得ることができる。アクリル酸とメタクリル酸アルキルの比を変えることにより、様々な親水性・親油性バランスの共重合体が得られる。
上記のように製造することに替えて、既に市販されているものを利用することもできる。この様な市販品としては、グッドリッチ社製のペミュレンＴＲ−１やペミュレンＴＲ−２等を例示することができる。
【００１０】
本発明の水ゲル薬剤揮散体に使用されるアクリル酸・メタクリル酸アルキル（Ｃ１０〜Ｃ３０）共重合体の使用量は、特に制限されないが、例えば、水ゲル薬剤揮散体全体に対して約０．０１〜１０重量％、好ましくは約０．１〜５重量％を挙げることができる。０．０１重量％より少ない量では薬剤の効果が十分に発揮できず、１０重量％より多い量ではコスト高となったり、粘度が高くなり水ゲルの調製が難しくなるという難点がある。
【００１１】
本発明の水ゲル薬剤揮散体に用いるゲル化剤としては、一般に水ゲル薬剤揮散体に使用されているものを採用することができ、例えば、カラギーナン、ジェランガム、寒天、ゼラチン等の天然系ゲル化剤；イソブチレン−無水マレイン酸共重合体等の合成ゲル化剤などを例示することができる。ゲル化剤の使用量は、特に限定されないが、水ゲル薬剤揮散体全体に対して、例えば、約０．１〜１５重量％を挙げることができる。０．１重量％より少ないとゲル化が十分でなく、１５重量％より多い量では粘度が高くなり水ゲルの調製が難しくなる。
【００１２】
本発明の水ゲル薬剤揮散体に用いられる水としては、脱イオン水、蒸留水、イオン交換水等の精製水を用いるのが好ましい。水は基本的には残部であるが、水の使用量は、得られる水ゲル薬剤揮散体の総量を１００重量％とした場合に、通常約４０〜９５重量％を例示することができる。
【００１３】
本発明の水ゲル薬剤揮散体には、上記の成分のほかに、通常水ゲル薬剤揮散体に使用される成分を配合することができる。それらの成分としては、例えば、アルコール類、グリコール類、グリコールエーテル類、ポリオール類、置換アルコール類などの溶剤類；ローカストビーンガム、キサンタンガム等の天然系高分子物質、セルロース、ポリビニルアルコール等の合成高分子物質などのゲル補強剤；脂肪酸石鹸、アルキル硫酸塩等の陰イオン界面活性剤、ＰＯＥアルキルエーテル、ＰＯＥアルキルフェノール、ＰＯＥソルビタンアルキレート等の非イオン界面活性剤、第四級アンモニウム塩等の陽イオン界面活性剤などの界面活性剤；水溶性染料、蛍光染料、天然色素、無機顔料などの色素類；メチルパラペン等のパラペン類、安息香酸塩類などの防腐剤；水酸化ナトリウム、水酸化カリウム等の無機アルカリ、トリエタノールアミン、２−アミノ−２−メチル−１，３−プロパンジオール等の有機アルカリなどの中和剤；塩化カルシウム、乳酸カルシウム、塩化カリウムなどの塩類および紫外線吸収剤などを挙げることができる。
【００１４】
本発明の水ゲル薬剤揮散体は、例えば、次のように製造するのが好ましい。即ち、まず、水にゲル化剤を加えて、一般的には室温から１００℃にて加熱溶解した後、薬剤およびアクリル酸・メタクリル酸アルキル（Ｃ１０〜Ｃ３０）共重合体を添加して混合し、分散液を得る。次いで、この分散液を揮散容器に充填し、冷却ないし放冷することにより固化させる。
【００１５】
【実施例】
次に実施例および比較例を挙げて本発明をさらに具体的に説明する。
［実施例１］
脱イオン水９１．４７５ｇにカラギーナン：Ｘ−５１８９（新田ゼラチン社製）２ｇおよびメチルパラベン０．２ｇを添加して９０℃に加熱溶解した後、キンモクセイ香料：Ｎｏ．２５６９（長谷川香料社製）６ｇとアクリル酸・メタクリル酸アルキル（Ｃ１０〜Ｃ３０）共重合体：ペミュレンＴＲ−１（グッドリッチ社製）０．２２５ｇおよび２−アミノ−２−メチル−１，３−プロパンジオール（ＡＭＰＤ）０．１ｇを混合したものを、上記の加熱溶解液に添加し、攪拌混合する。その後、芳香剤容器に充填して、空気中で放冷して固化させて、本発明の水ゲル薬剤揮散体を製造した。
【００１６】
［実施例２］
実施例１において、脱イオン水９１．４７５ｇを９１．１７５ｇとし、更に、界面活性剤：ツィーン６０（ＩＣＩ  ＳＵＲＦＡＣＴＡＮＴＳ社製：モノステアリン酸ポリオキシエチレンソルビタン）０．３ｇを加えた以外は実施例１と同様に処理して、本発明の水ゲル薬剤揮散体を製造した。
【００１７】
［実施例３］
実施例１において、キンモクセイ香料をクロトン酸オクチル含有消臭液２ｇとし、脱イオン水、ペミュレンＴＲ−１、ＡＭＰＤを表１に示す量に替えた以外は実施例１と同様に処理して、本発明の水ゲル薬剤揮散体を製造した。
【００１８】
［比較例１］
実施例１において、脱イオン水９１．４７５ｇを９１．２ｇとして、ペミュレンＴＲ−１（前出）０．２２５ｇおよび２−アミノ−２−メチル−１，３−プロパンジオール０．１ｇに替えて、ツィーン６０（前出）を０．６ｇ使用した以外は実施例１と同様に処理して、水ゲル薬剤揮散体を製造した。
以上の実施例１〜３，比較例１の配合成分を表１に示す。
【００１９】
【表１】
0004111364.tif 000002
【００２０】
得られた水ゲル薬剤揮散体について、週毎の１日当たりの揮散量の変化、官能試験による評価（実施例３を除く）を行った。試験方法は以下の通りであり、結果を表２、表３に示す。
揮散量（ｇ／日）の変化
水ゲル薬剤揮散体容器の開口部を一定に開口して、室温で試料を揮散させる。経日毎の揮散重量を測定し、週毎に１日あたりの揮散量を平均して求めた。単位はｇ／日である。また、５週経過後の揮散体の残存容積の割合を（揮散体の残存容積／調製直後の揮散体の容積×１００）で求めた。
官能評価
水ゲル薬剤揮散体について、経日における香気の強さに関して、よく訓練されたパネル１５名にて官能評価を行った。各人が５点法で評価し、その平均を以て、各水ゲル薬剤揮散体のその日の強さとした。数値が高いほど香気が強いことを示す。
【００２１】
【表２】
0004111364.tif 000003
【００２２】
【表３】
0004111364.tif 000004
【００２３】
表２から明らかなように、本発明の実施例のものは、４週目までの１日の揮散量がコンスタントであるのに対して、比較例１では２週目から１日あたりの揮散量が少なくなっていた。一方、５週目の１日あたりの揮散量は、本発明の実施例のものでは、４週目までに比べ極端に少なくなり、ほぼ終点に達していることを示しているのに比べ、比較例１では５週目でも徐々に揮散しているため、終点がはっきりしなかった。
表３から明らかなように、本発明の水ゲル薬剤揮散体は、比較例のものに比べて、スタートから第４週までは香気が強く、コンスタントに香気が揮散していた。
【００２４】
【発明の効果】
本発明の水ゲル薬剤揮散体は、香料、消臭剤、防虫剤などの薬剤を揮散開始から終了時までコンスタントにバランスよく揮散でき、経日による薬剤の揮散強度、拡散性、持続性などの薬剤効果の低下を防止することができる。また、本発明の水ゲル薬剤揮散体に使用されるアクリル酸・メタクリル酸アルキル（Ｃ１０〜Ｃ３０）共重合体は乳化作用を有するため、従来の水ゲル薬剤揮散体に使用されている界面活性剤を全く使用しないか、又は界面活性剤の使用量を減ずることができ、界面活性剤による地球環境問題に対応でき、また更に、本発明の水ゲル薬剤揮散体は、水の揮散量がコンスタントであるため、揮散終了時の残査形状が従来品より小さくなり、揮散体の終点が目視で容易に判定することができるなどの効果を有する。